(57)【要約】【課題】伝送システムの完成後においても外部から励起光のパワー調整を可能にすると共に、伝送する信号光の信号帯域の拡大を図ることができるラマン増幅中継器を提供する。【解決手段】ラマン増幅を得るための励起光源として中心波長の異なる複数の励起光源１２−１〜１２−ｎを設け、伝送路上の信号光の平坦度を監視する入力平坦度モニタ回路３−１、３−２と、外部から遠隔監視制御信号に基づき、励起光源を制御すると共に、信号光の平坦度によって制御する励起光源を決定する監視制御回路９−１、９−２と、監視制御回路９−１、９−２の制御により、平坦度に関する情報を特定波長の遠隔監視制御信号として伝送路を介して他の中継器に出力する波長選択型反射器７−１、７−２またはＬＤモジュール１４−１、１４−２を備える。【選択図】    図１
2005012628.tif 000002
【特許請求の範囲】
【請求項１】
励起ＬＤを伝送路ファイバに入力した場合のラマン散乱による信号光の増幅作用を用いたラマン増幅中継器において、
ラマン増幅を得るための励起光源として中心波長の異なる複数の励起光源を設け、
伝送路上の信号光の平坦度を監視する平坦度モニタ手段と、
外部から遠隔監視制御信号に基づき、前記励起光源を制御すると共に、平坦度モニタ手段による信号光の平坦度によって制御する前記励起光源を決定する監視制御手段と、
前記監視制御手段の制御により、前記平坦度に関する情報を特定波長の遠隔監視制御信号として前記伝送路を介して他の中継器に出力する制御信号出力手段とを備えることを特徴とするラマン増幅中継器。
【請求項２】
前記複数の励起光源、前記平坦度モニタ手段、前記監視制御手段及び前記制御信号出力手段を、上り側と下り側の双方に設け、上り側と下り側で独立に、励起光源の制御と、遠隔監視制御信号の送信を行うことを特徴とする請求項１に記載のラマン増幅中継器。
【請求項３】
前記制御信号出力手段が、伝送路より取り出した信号光から特定波長の信号光を反射する波長選択型反射器を備えることを特徴とする請求項１または請求項２に記載のラマン増幅中継器。
【請求項４】
前記制御信号出力手段が、前記特定波長の信号光を出力する制御信号用の光源と駆動回路を内蔵した構成であることを特徴とする請求項１または請求項２に記載のラマン増幅中継器。
【請求項５】
伝送路上の信号光として、前記伝送路上に出力する信号光を、前記平坦度モニタ手段に入力する構成としたことを特徴とする請求項１から請求項４の何れか１項に記載のラマン増幅中継器。
【請求項６】
前記平坦度モニタ手段が、前記信号光を、前記励起光源の数に応じた数だけ分岐する分波回路と、分岐した信号光毎に設けられた複数のバンドパスフィルタと、分岐した信号光毎に設けられた複数の受光手段と、受光した信号光を保持する受光信号保持回路を備えることを特徴とする請求項１から請求項５の何れか１項に記載のラマン増幅中継器。
【請求項７】
前記平坦度モニタ手段が、可変バンドパスフィルタと、受光手段と、受光した信号光を保持する受光信号保持回路と、受光信号保持回路の出力に基づいて前記可変バンドパスフィルタを制御するバンドパスフィルタ制御回路を備えることを特徴とする請求項１から請求項５の何れか１項に記載のラマン増幅中継器。
【発明の詳細な説明】
【０００１】
【発明の属する技術分野】
本発明は、励起ＬＤを伝送路ファイバに入力した場合のラマン散乱による信号光の増幅作用を用いたラマン増幅中継器に関し、特に信号帯域の拡大と外部からのラマン増幅の制御を可能としたラマン増幅中継器に関する。
【０００２】
【従来の技術】
現状の伝送システムにおいて波長多重技術が進み多重する波長数が増えると中継器（例えば海底中継器等）の広帯域化が必要となり、その広帯域化のための技術として１４８０ｎｍ帯の励起ＬＤを伝送路ファイバに入力した場合のラマン散乱による信号光の増幅作用を用いたラマン増幅中継器が近年研究されている。
【０００３】
このようなラマン増幅中継器としては、例えば、特開２００１−１５８４５号公報（特許文献１）や特開２００１−２３５７７２号公報（特許文献２）等に開示されるものがある。
【０００４】
上記特許文献１は、利得調整用の可変光アッテネータを使用することなく、ラマン増幅された出力パワーの一部を取り出し、その取り出した光を利用して、出力パワーの制御を自動的に行うラマン増幅中継器を開示している。
【０００５】
また、特許文献２は、伝送路に検査光を導入し、その検査光が伝搬する際に生じた後方散乱光を受信し、後方散乱光の受信結果に基づいて励起光のパワーを制御するようにしたラマン増幅中継器を開示している。
【０００６】
【特許文献１】
特開２００１−１５８４５号公報
【特許文献２】
特開２００１−２３５７７２号公報
【０００７】
【発明が解決しようとする課題】
上述した従来のラマン増幅中継器では、伝送システムの完成後においては、外部から調整を加えることができないという問題点がある。
【０００８】
伝送路ファイバへの励起光の中心波長が固定的に設定されているため、伝送する信号光の信号帯域が狭い範囲に決まってしまうという欠点がある。
【０００９】
本発明の目的は、伝送システムの完成後においても外部から励起光のパワー調整を可能にすると共に、伝送する信号光の信号帯域の拡大を図ることができるラマン増幅中継器を提供することにある。
【００１０】
【課題を解決するための手段】
上記目的を達成する本発明は、励起ＬＤを伝送路ファイバに入力した場合のラマン散乱による信号光の増幅作用を用いたラマン増幅中継器において、ラマン増幅を得るための励起光源として中心波長の異なる複数の励起光源を設け、伝送路上の信号光の平坦度を監視する平坦度モニタ手段と、外部から遠隔監視制御信号に基づき、前記励起光源を制御すると共に、平坦度モニタ手段による信号光の平坦度によって制御する前記励起光源を決定する監視制御手段と、前記監視制御手段の制御により、前記平坦度に関する情報を特定波長の遠隔監視制御信号として前記伝送路を介して他の中継器に出力する制御信号出力手段とを備えることを特徴とする。
【００１１】
請求項２の本発明によるラマン増幅中継器は、前記複数の励起光源、前記平坦度モニタ手段、前記監視制御手段及び前記制御信号出力手段を、上り側と下り側の双方に設け、上り側と下り側で独立に、励起光源の制御と、遠隔監視制御信号の送信を行うことを特徴とする。
【００１２】
請求項３の本発明によるラマン増幅中継器は、前記制御信号出力手段が、伝送路より取り出した信号光から特定波長の信号光を反射する波長選択型反射器を備えることを特徴とする。
【００１３】
請求項４の本発明によるラマン増幅中継器は、前記制御信号出力手段が、前記特定波長の信号光を出力する制御信号用の光源と駆動回路を内蔵した構成であることを特徴とする。
【００１４】
請求項５の本発明によるラマン増幅中継器は、伝送路上の信号光として、前記伝送路上に出力する信号光を、前記平坦度モニタ手段に入力する構成としたことを特徴とする。
【００１５】
請求項６の本発明によるラマン増幅中継器は、前記平坦度モニタ手段が、前記信号光を、前記励起光源の数に応じた数だけ分岐する分波回路と、分岐した信号光毎に設けられた複数のバンドパスフィルタと、分岐した信号光毎に設けられた複数の受光手段と、受光した信号光を保持する受光信号保持回路を備えることを特徴とする。
【００１６】
請求項７の本発明によるラマン増幅中継器は、前記平坦度モニタ手段が、可変バンドパスフィルタと、受光手段と、受光した信号光を保持する受光信号保持回路と、受光信号保持回路の出力に基づいて前記可変バンドパスフィルタを制御するバンドパスフィルタ制御回路を備えることを特徴とする。
【００１７】
【発明の実施の形態】
以下、本発明の好ましい実施の形態について図面を参照して詳細に説明する。
【００１８】
図１に本発明の第１の実施の形態によるラマン増幅中継器の構成を示す。図１に示す本実施の形態によるラマン増幅中継器は、上り下り方向で同一構成となっており、上り側の分岐カプラ１−１、１−２、１０３と下り側の分岐カプラ１−４、１−５、１−６、上り側のＷＤＭ（Ｗａｖｅｌｅｎｇｔｈ  Ｄｉｖｉｓｉｏｎ  Ｍｕｌｔｉｐｌｅｘ）カプラ２−１と下り側のＷＤＭカプラ２−２、上り側の入力平坦度モニタ回路３−１と下り側の入力平坦度モニタ回路３−２、上り側のバンドパスフィルタ４−１と下り側のバンドパスフィルタ４−２、上り側のＰＤ（Ｐｈｏｔｏ  Ｄｉｏｄｅ）モジュール５−１と下り側のＰＤモジュール５−２、上り側の変調器６−１と下り側の変調器６−２、上り側の波長選択型反射器７−１と下り側の波長選択型反射器７−２、上り側の変調器制御回路８−１と下り側の変調器制御回路８−２、上り側の監視制御回路９−１と下り側の監視制御回路９−２、上り側の基準電圧切り替え回路１０−１と基準電圧切り替え回路１０−２、上り側のＬＤ駆動回路１１−１と下り側のＬＤ駆動回路１１−２、上り側の１４８０ｎｍＬＤ（Ｌａｓｅｒ  Ｄｉｏｄｅ）モジュール１２−１〜１２−ｎと下り側の１４８０ｎｍＬＤモジュール１２−ｎ＋１〜１２−２ｎ、上り側の合波回路１３−１と下り側の合波回路１３−２を備えて構成されている。
【００１９】
各構成要素の接続関係は上下方向で同一であるため、以下上り方向における構成要素間の接続関係を説明する。
【００２０】
伝送路ファイバを通る信号光が入力する分岐カプラ１−１の一方の出力が、ＷＤＭカプラ２−１の一方の入力に接続される。そのＷＤＭカプラ２−１の出力は分岐カプラ１−２の一方の入力に接続され、分岐カプラ１−２の一方の出力より信号光が伝送路へと出力される。
【００２１】
上記分岐カプラ１−２の他方の入力は、下り側の分岐カプラ１−５の一方の入力に接続されている。上記分岐カプラ１−１の他方の出力は、分岐カプラ１−３の入力に接続され、分岐カプラ１−３の一方の出力が入力平坦度モニタ回路３−１に接続され、さらにその出力が監視制御回路９−１の一方の入力に接続される。
【００２２】
上記分岐カプラ１−３の他方の出力は、バンドパスフィルタ４−１に接続された後、ＰＤモジュール５−１に接続され、さらに監視制御回路９−１の他方の入力に接続される。
【００２３】
上記監視制御回路９−１の一方の出力は、基準電圧切り替え回路１０−１に接続され、さらにＬＤ駆動回路１１−１に接続される。さらにＬＤ駆動回路１１−１の出力は、複数の１４８０ｎｍＬＤモジュール１２−１〜１２−ｎに接続され、それぞれの光出力は合波回路１３−１で合波された後、ＷＤＭカプラ２−１の他方の入力に接続される。
【００２４】
上記分岐カプラ１−２の他方の出力は変調器６−１に接続され、さらに波長選択型反射器７−１に接続される。また、上記監視制御回路９−１の他方の出力は変調器制御回路８−１に接続された後、上記変調器６−１に接続される。また、上記監視制御回路９−１は下り側の監視制御回路９−２と相互に接続されている。
【００２５】
図１に示すような構成の第１の実施の形態によるラマン増幅中継器は、上り下りの励起レーザ出力をそれぞれ独立に、中継器の外部より可変することができる機能を有することを特徴とし、その機能を実現するために上り下り側の監視制御回路９−１、９−２を備えている。
【００２６】
次に、第１の実施の形態において、励起光を制御するための動作及び遠隔監視制御信号の送信のための動作について説明する。
【００２７】
第１の実施の形態によるラマン増幅中継器において、ラマン利得を得るための１４８０ｎｍＬＤモジュール１２−１〜１２−ｎからのレーザ光が、ＷＤＭカプラ２−１より中継器入力側伝送路ファイバへ出力されることにより、ラマン散乱による増幅が得られることになる。中継器の帯域拡大のために上記１４８０ｎｍＬＤモジュールは中心波長の異なる複数のモジュールで構成されている。
【００２８】
分岐カプラ１−１から信号光のうち、分岐カプラ１−３より取り出した信号光を入力平坦度モニタ回路３−１に入力することにより中継器入力における平坦度を監視し、監視制御回路９−１にその平坦度に関する情報を格納する。
【００２９】
また、分岐カプラ１−３のもう一方の出力からは端局（他の中継器）からの遠隔監視制御信号のみが取り出され、その遠隔監視制御信号を監視制御回路９−１で受信する。この信号に基づき基準電圧切り替え回路１０−１を制御し、入力平坦度モニタ回路３−１から得た平坦度に関する情報により、制御する１４８０ｎｍＬＤモジュール１２−１〜１２−ｎを決定する。これにより、外部から入力される遠隔監視制御信号により、１４８０ｎｍＬＤモジュール１２−１〜１２−ｎの制御、すなわちラマン増幅の制御が可能となる。
【００３０】
監視制御回路９−１に格納された中継器の内部情報である上記平坦度に関する情報は、分岐カプラ１−２より取り出した信号から、波長選択型反射器７−１により反射した特定波長の信号（遠隔監視制御信号）を監視制御回路９−１に接続された変調器６−１にて変調した後、分岐カプラ１−２、下り側の分岐カプラ１−５を通った後、下り側伝送路を通して遠隔監視制御信号として端局（他の中継器）に送信される。あるいは、下り側の監視制御回路９−２の制御により上述した上り側と同様の方法で遠隔監視制御信号が上り側伝送路を通して端局（他の中継器）へ送信される。
【００３１】
上述した第１の実施の形態によるラマン増幅中継器によれば、伝送路ファイバへ励起光を送出する１４８０ｎｍＬＤモジュールを中心波長の異なる複数のモジュールで構成することで、信号帯域の拡大を図ることができる。また、また、上り下りを別々にＬＤ制御を可能とすることで制御が容易となる。
【００３２】
さらに、入力平坦度をモニタしてその情報に基づいてＬＤ制御を可能とし、かつ外部からの制御を可能としているため、システム完成後も調整することが可能となる。
【００３３】
また、本実施の形態のラマン増幅中継器では、端局（他の中継器）への遠隔監視制御信号の送信方法として、特定波長を中継器内部で変調させる方式をとっているため、ラマン増幅中継器において一般的な変調方式である励起ＬＤを変調する方式に比べ主信号に影響を与えないという利点がある。
【００３４】
次に、本発明の第２の実施の形態によるラマン増幅中継器について説明する。図２に本発明の第２の実施の形態によるラマン増幅中継器の構成を示す。なお、第２の実施の形態において、図１に示した第１の実施の形態と同じ構成要素については共通の符号を付し、その説明を省略する。
【００３５】
この第２の実施の形態によるラマン増幅中継器は、上記第１の実施の形態と比べ、上り側の波長選択型反射器７−１と下り側の波長選択型反射器７−２代わりに、上り側の変調器６−１と分岐カプラ１−２の間に上り側の監視制御波長ＬＤモジュール１４−１を設け、下り側の変調器６−２と分岐カプラ１−５の間に下り側の監視制御信号ＬＤモジュール１４−２を設けると共に、ＬＤ駆動回路１１−３を新たに設けている。その他の構成については、第１の実施の形態と同じである。
【００３６】
上り側の監視制御回路９−１の一方の出力が、変調器制御回路８−１に接続された後、変調器６−１に接続され、さらに上り側の監視制御信号ＬＤモジュール１４−１に接続され、上記上り側の分岐カプラ１−２の一方の出力に接続される。また、下り側の監視制御回路９−２の一方の出力が、変調器制御回路８−２に接続された後、変調器６−２に接続され、さらに下り側の監視制御信号ＬＤモジュール１４−２に接続され、上記下り側の分岐カプラ１−５の一方の出力に接続される。また、ＬＤ駆動回路１１−３は、上り側の監視制御信号ＬＤモジュール１４−１及び下り側の監視制御信号ＬＤモジュール１４−２に接続されている。
【００３７】
上記のように構成される第２の実施の形態では、中継器の内部情報である遠隔監視制御信号の送信方法が第１の実施の形態と相違するだけであり、その他の動作は第１の実施の形態と同じである。以下、その遠隔監視制御信号の送信方法について以下に説明する。
【００３８】
本実施の形態では、上記のように監視制御信号ＬＤモジュール１４−１と１４−２とそれらのＬＤ駆動回路１１−３を内蔵した構成になっており、この監視制御信号ＬＤモジュールからの信号光が監視制御回路９−１、９−２の制御により変調器６−１、６−２によって変調され、分岐カプラ１−２、分岐カプラ１−５を通った後、下り側伝送路または上り側伝送路を通して遠隔監視制御信号として端局（他の中継器）に送信される。
【００３９】
次に、本発明の第３の実施の形態によるラマン増幅中継器について説明する。図３に本発明の第３の実施の形態によるラマン増幅中継器の構成を示す。なお、第３の実施の形態において、図１に示した第１の実施の形態と同じ構成要素については共通の符号を付し、その説明を省略する。
【００４０】
この第３の実施の形態によるラマン増幅中継器は、上記第１の実施の形態と比べ、上り側の分岐カプラ１−２の出力に分岐カプラ１−３が接続され、その分岐カプラ１−３の一方の出力が上り側のバンドパスフィルタ４−１、上り側のＰＤ（Ｐｈｏｔｏ  Ｄｉｏｄｅ）モジュール５−１から上り側の監視制御回路９−１に入力されている。また、下り側の分岐カプラ１−５の出力に分岐カプラ１−６が接続され、その分岐カプラ１−６の一方の出力が下り側のバンドパスフィルタ４−２、下り側のＰＤ（Ｐｈｏｔｏ  Ｄｉｏｄｅ）モジュール５−２から下り側の監視制御回路９−２に入力されている。その他の構成については、第１の実施の形態と同じである。
【００４１】
第３の実施の形態におけるラマン増幅中継器の動作については、遠隔監視制御信号が、中継器出力側の分岐カプラ１−２の出力に接続した分岐カプラ１−３から監視制御回路９−１で受信する以外は図１の第１の実施の形態の動作と全く同じである。
【００４２】
次に、本発明の第４の実施の形態によるラマン増幅中継器について説明する。図４に本発明の第４の実施の形態によるラマン増幅中継器の構成を示す。なお、第４の実施の形態において、図１に示した第１の実施の形態及び図２に示した第２の実施の形態と同じ構成要素については共通の符号を付し、その説明を省略する。
【００４３】
この第４の実施の形態によるラマン増幅中継器は、上記第２の実施の形態と比べ、上り側の分岐カプラ１−２の出力に分岐カプラ１−３が接続され、その分岐カプラ１−３の一方の出力が上り側のバンドパスフィルタ４−１、上り側のＰＤ（Ｐｈｏｔｏ  Ｄｉｏｄｅ）モジュール５−１から上り側の監視制御回路９−１に入力されている。また、下り側の分岐カプラ１−５の出力に分岐カプラ１−６が接続され、その分岐カプラ１−６の一方の出力が下り側のバンドパスフィルタ４−２、下り側のＰＤ（Ｐｈｏｔｏ  Ｄｉｏｄｅ）モジュール５−２から下り側の監視制御回路９−２に入力されている。その他の構成については、第２の実施の形態と同じである。
【００４４】
第４の実施の形態におけるラマン増幅中継器の動作については、遠隔監視制御信号が、中継器出力側の分岐カプラ１−２の出力に接続した分岐カプラ１−３から監視制御回路９−１で受信する以外は図２の第２の実施の形態の動作と全く同じである。
【００４５】
次に、本発明の第５の実施の形態によるラマン増幅中継器について説明する。図５は、第５の実施の形態によるラマン増幅中継器の入力平坦度モニタ回路３−１、３−２の構成を示すブロック図である。なお、ラマン増幅中継器全体の構成は、図１〜図４に示す第１から第４の実施の形態の何れでもよい。
【００４６】
ここでは、上り側の入力平坦度モニタ回路３−１について示すが、下り側の入力平坦度モニタ回路３−２についても全く同じである。
【００４７】
図５において、分岐カプラ１−１を通して入力してきた信号光は、分波回路１５で１４８０ｎｍＬＤ１２−１〜１２−ｎ（または１２−ｎ＋１〜１２−２ｎ）の数に応じた数に分岐され、それぞれバンドパスフィルタ４０−１〜４０−ｎに接続された後ＰＤモジュール５０−１〜５０−ｎに入力される。そのＰＤ５０−１〜５０−ｎの出力は、受光信号保持回路１６−１に接続され、その出力が入力平坦度モニタ回路の出力となるように構成されている。
【００４８】
ここで、分波回路１５により信号光を１４８０ｎｍＬＤモジュールの数分に分岐させる理由は、個々の１４８０ｎｍＬＤモジュールの増幅する波長範囲のパワーを正しくモニタするためである。
【００４９】
次に、本発明の第６の実施の形態によるラマン増幅中継器について説明する。図６は、第６の実施の形態によるラマン増幅中継器の入力平坦度モニタ回路３−１、３−２の構成を示すブロック図である。なお、ラマン増幅中継器全体の構成は、図１〜図４に示す第１から第４の実施の形態の何れでもよい。
【００５０】
ここでは、上り側の入力平坦度モニタ回路３−１について示すが、下り側の入力平坦度モニタ回路３−２についても全く同じである。
【００５１】
図６において、分岐カプラ１−１を通して入力してきた信号は可変バンドパスフィルタ１７を通過した後、ＰＤモジュール５１を通過し、受光信号保持回路１６−２に入力される。また、上記受光信号保持回路１６−２の一方の出力は、バンドパスフィルタ制御回路１８に接続された後、可変バンドパスフィルタ１７に接続されこれを制御する構成である。
【００５２】
図５の構成と異なり、可変バンドパスフィルタ１７によって１４８０ｎｍＬＤの数量分のＬＤモジュールの増幅する波長範囲のパワーを正しくモニタするような動作をしている。
【００５３】
以上好ましい実施の形態及び実施例をあげて本発明を説明したが、本発明は必ずしも上記実施の形態及び実施例に限定されるものではなく、その技術的思想の範囲内において様々に変形して実施することができる。
【００５４】
【発明の効果】
以上説明したように本発明のラマン増幅中継器によれば、以下に述べるような優れた効果が得られる。
【００５５】
第１に、伝送路ファイバへ励起光を送出する１４８０ｎｍＬＤを中心波長の異なる複数のＬＤで構成することで、信号帯域の拡大を図ることができる。
【００５６】
第２に、上り側と下り側のＬＤ制御を別々に行うことができるので、制御が容易となる。
【００５７】
第３に、中継器の入力平坦度をモニタし、その情報に基づきＬＤ制御を可能とすると共に、外部からの遠隔監視制御信号による制御を可能としているため、伝送システム完成後も調整することが可能となる。
【００５８】
第４に、遠隔監視制御信号の送信方法として、特定波長を中継器内部で変調させる方式をとっており、従来のラマン増幅中継器における一般的な変調方式である励起ＬＤを変調する方式に比べ主信号に影響を与えない利点がある。
【図面の簡単な説明】
【図１】本発明の第１の実施の形態によるラマン増幅中継器の構成を示すブロック図である。
【図２】本発明の第２の実施の形態によるラマン増幅中継器の構成を示すブロック図である。
【図３】本発明の第３の実施の形態によるラマン増幅中継器の構成を示すブロック図である。
【図４】本発明の第４の実施の形態によるラマン増幅中継器の構成を示すブロック図である。
【図５】本発明の第５の実施の形態によるラマン増幅中継器の入力平坦度モニタ回路の構成を示すブロック図である。
【図６】本発明の第６の実施の形態によるラマン増幅中継器の入力平坦度モニタ回路の構成を示すブロック図である。
【符号の説明】
１−１〜１−６：分岐カプラ
２−１、２−２：ＷＤＭカプラ
３−１、３−２：入力平坦度モニタ回路
４−１、４−２、４０−１〜４０−ｎ：バンドパスフィルタ
５−１、５−２、５０−１〜５０−ｎ、５１：ＰＤモジュール
６−１、６−２：変調器
７−１、７−２：波長選択型反射器
８−１、８−２：変調器制御回路
９−１、９−２：監視制御回路
１０−１、１０−２：基準電圧切り替え回路
１１−１〜１１−３：ＬＤ駆動回路
１２−１〜１２−ｎ、１２−ｎ＋１〜１２−２ｎ：１４８０ｎｍＬＤモジュール
１３−１、１３−２：合波回路
１４−１、１４−２：監視信号波長ＬＤモジュール
１５：分波回路
１６−１、１６−２：受光信号保持回路
１７：可変型バンドパスフィルタ
１８：バンドパスフィルタ制御回路
【図１】
2005012628.tif 000003
【図２】
2005012628.tif 000004
【図３】
2005012628.tif 000005
【図４】
2005012628.tif 000006
【図５】
2005012628.tif 000007
【図６】
2005012628.tif 000008